(57)【要約】【課題】複雑な処理を伴うことなくガンマ補正データの記憶容量を低減することのできるガンマ補正装置を得る。【解決手段】データ処理回路２２により、Ｒ，Ｇ，Ｂの３色の画像データに対して色毎にガンマ補正を行うために用いられるガンマ補正データであり、前記３色の何れか１色に１対１で対応するものとして予め定められた複数のガンマ補正データの各色間の共通データをガンマ補正メモリ２３Ａに予め記憶する一方、前記共通データと組み合わせることによって前記３色のガンマ補正データを再現できる再現データをガンマ補正メモリ２３Ｂ〜２３Ｄに予め記憶し、当該共通データ及び再現データを用いて前記３色の画像データに対してガンマ補正を行う。【選択図】図１
2008242255.tif 000002
【特許請求の範囲】
【請求項１】
複数色の画像データに対して色毎にガンマ補正を行うために用いられるガンマ補正データであり、前記複数色の何れか１色に１対１で対応するものとして予め定められた複数のガンマ補正データの各色間の共通データを予め記憶する第１記憶手段と、
前記共通データと組み合わせることによって前記複数のガンマ補正データを再現できる再現データを予め記憶する第２記憶手段と、
前記第１記憶手段に記憶された共通データ及び前記第２記憶手段に記憶された再現データを用いて前記複数色の画像データに対してガンマ補正を行うガンマ補正手段と、
を備えたガンマ補正装置。
【請求項２】
前記共通データは、前記複数のガンマ補正データにおける前記各色間で同一の値となるデータであり、
前記再現データは、前記複数のガンマ補正データから前記共通データを除いた前記複数色の色毎のデータであり、
前記ガンマ補正手段は、前記第１記憶手段に記憶された前記共通データを用いて前記複数色の全ての画像データに対してガンマ補正を行うと共に、前記第２記憶手段に記憶された前記色毎の再現データを用いて前記複数色の全ての画像データに対して色毎にガンマ補正を行った後、前記共通データを用いてガンマ補正された画像データと前記再現データを用いてガンマ補正された画像データとを各色毎に結合することにより最終的なガンマ補正後の画像データを得る
請求項１記載のガンマ補正装置。
【請求項３】
前記共通データは、前記複数のガンマ補正データにおける、最上位ビットから前記各色間で同一の値となるビット数のデータであり、
前記ガンマ補正手段は、前記共通データを用いてガンマ補正された画像データを上位ビット側とし、前記再現データを用いてガンマ補正された画像データを下位ビット側として、各色毎に結合することにより最終的なガンマ補正後の画像データを得る
請求項２記載のガンマ補正装置。
【請求項４】
前記共通データは、前記複数のガンマ補正データにおける前記複数色の何れか１つの特定色に対応するガンマ補正データであり、
前記再現データは、前記複数色の前記特定色を除く色に対応するガンマ補正データと前記共通データとの差分となる、前記特定色を除く色毎のデータであり、
前記ガンマ補正手段は、前記第１記憶手段に記憶された前記共通データを用いて前記複数色の全ての画像データに対してガンマ補正を行うと共に、前記第２記憶手段に記憶された前記特定色を除く色毎の再現データを用いて当該特定色を除く色毎の画像データに対してガンマ補正を行った後、前記特定色の画像データについては前記共通データを用いてガンマ補正された画像データを最終的なガンマ補正後の画像データとし、前記特定色を除く色毎の画像データについては前記共通データを用いてガンマ補正された画像データと前記再現データを用いてガンマ補正された画像データとを各色毎に加算することにより最終的なガンマ補正後の画像データを得る
請求項１記載のガンマ補正装置。
【請求項５】
前記複数のガンマ補正データを用いて前記再現データを演算する演算手段
を更に備えた請求項４記載のガンマ補正装置。
【請求項６】
前記複数色は、赤、緑、青の３原色を含む
請求項１から請求項５の何れか１項記載のガンマ補正装置。
【請求項７】
前記画像データは、液晶表示パネルに画像を表示するための画像データである
請求項１から請求項６の何れか１項記載のガンマ補正装置。
【発明の詳細な説明】
【技術分野】
【０００１】
本発明は、ガンマ補正装置に係り、特に、複数色の画像データに対して色毎にガンマ補正を行うために用いられるガンマ補正データであり、前記複数色の何れか１色に１対１で対応するものとして予め定められた複数のガンマ補正データによりガンマ補正を行うガンマ補正装置に関する。
【背景技術】
【０００２】
一例として図１０に示されるように、液晶装置は、一般に、液晶分子層を挟む２枚の電極に電圧を印加することにより液晶分子の向きを制御することにより、バックライトによる光の透過率を画素毎に変化させることによって映像を表示している。
【０００３】
しかしながら、この透過率は、一例として図１１に示すように、液晶の性質により、２枚の電極にかかる電位差（入力電圧）に比例した特性とはなっていない。そのため、制御しやすい比例特性となるように透過率特性（所謂ＶＴ特性）を補正する必要がある。この補正が「ガンマ補正」と呼ばれるものであり、ガンマ補正後の入力電圧を電極に印加することにより、液晶の透過率は、一例として図１２に示すように、補正前の入力電圧に対して比例特性を示すようになる。
【０００４】
従来、このガンマ補正は、一例として図１３に示されるように、液晶装置に実装されている「ソース・ドライバ」と呼ばれる素子で行っていた。同図に示されるように、液晶装置の表示を制御する「タイミング・コントローラ」と呼ばれる素子から出力されたロジック値をソース・ドライバは受信し、当該ロジック値をソース・ドライバに内蔵されたＤ／Ａ（デジタル／アナログ）変換器でアナログ電圧に変換し、液晶装置の電極に電圧を印加している。このＤ／Ａ変換器は、液晶の特性にあったアナログ電圧を出力する機能を有しており、この回路でガンマ補正を行っている。しかしながら、液晶の特性は装置毎に異なるため、この方法では液晶装置毎にガンマ補正回路を設計する必要があった。
【０００５】
この問題の解決策として、一例として図１４に示されるように、ガンマ補正機能をソース・ドライバの前段にあるタイミング・コントローラに設け、ソース・ドライバにはタイミング・コントローラから受信したロジック値に比例したアナログ電圧が発生するＤ／Ａ変換器、すなわち、ガンマ補正機能を有しないＤ／Ａ変換器を内蔵させることにより、タイミング・コントローラでガンマ補正されたロジック値をソース・ドライバのＤ／Ａ変換器でアナログ電圧に変換して液晶装置の電極に電圧を印加する技術があった。
【０００６】
この技術によれば、ソース・ドライバにはガンマ補正機能を持たせておらず、ロジック値に対して比例したアナログ電圧を発生するＤ／Ａ変換器を設ければよく、ガンマ補正はタイミング・コントローラで行っているので、液晶装置毎にソース・ドライバを作製する必要がない。
【０００７】
なお、タイミング・コントローラで行うガンマ補正は、一般に、ＲＡＭ（Random Access Mamory）等により構成された書き換え可能なメモリ（図１４に示す例では、ガンマ補正メモリ）を用いて、液晶装置の特性にあったアナログ電圧をソース・ドライバで発生させるロジック値となるように補正している。そして、この際に用いる補正データ（ガンマ補正データ）は、一般に、液晶装置の起動時に、外部に実装されたＲＯＭ（Read Only Memory）等の不揮発性のメモリ（図１４に示す例では、外部メモリ）から取り込み、上記書き換え可能なメモリに書き込むことにより適用するようにしている。
【０００８】
その一方で、近年、液晶装置に対する高画質化の要求が高まってきており、一例として図１５に示されるように、タイミング・コントローラに実装されるガンマ補正メモリをＲｅｄ（赤、以下、「Ｒ」と表記する。）用、Ｇｒｅｅｎ（緑、以下、「Ｇ」と表記する。）用、Ｂｌｕｅ（青、以下、「Ｂ」と表記する。）用の３種類を用意することが必要となってきた。そして、ガンマ補正メモリが増えたことで、当該メモリの占める面積が拡大し、コスト増大の要因となっている。
【０００９】
この問題を解決するために適用できる技術として、特許文献１には、ｎビットで入力するデジタル入力信号を任意のビット数ｍで出力するガンマ補正装置であって、第１ルック・アップ・テーブル、第２ルック・アップ・テーブル、第３ルック・アップ・テーブル、連結器及び加算器を有し、それぞれのルック・アップ・テーブルの入力ビット数はｎより小さく、それぞれのルック・アップ・テーブルの出力ビット数はｍより小さく、前記第１ルック・アップ・テーブルは入力ｘビット、出力ｍ１ビット、前記第２ルック・アップ・テーブルは入力ｎ−ｔビット、出力ｍ２ビット、前記第３ルック・アップ・テーブルは入力ｎ−ｔビット、出力ｋビットであり、ｍ≦ｍ１＋ｍ２、ｘ＜ｎ−ｔかつｍ≧ｍ１＋ｋで、前記連結器は、前記第１ルック・アップ・テーブルの出力ビットを上位ビット側に、前記第３ルック・アップ・テーブルの出力ビットを下位ビット側とし、これらの間にｍ−ｍ１−ｋビットの“０”を挟んで連結した連結データを出力し、前記加算器は、前記第２ルック・アップ・テーブルの出力値と前記連結データとを加算し、上記加算したデータを出力とすることを特徴とする技術が開示されている。
【特許文献１】特開２００６−２７０８９３号公報
【発明の開示】
【発明が解決しようとする課題】
【００１０】
しかしながら、上記特許文献１に開示されている技術では、同一色内においてルック・アップ・テーブルを分割して構成するものとされているため、同一色内の画像データを分割してルック・アップ・テーブルに入力したり、最終的なガンマ補正後の画像データを複雑な方法で導出したりする必要があり、複雑な処理を要する、という問題点があった。
【００１１】
本発明は、上記問題点を解消するためになされたものであり、複雑な処理を伴うことなくガンマ補正データの記憶容量を低減することのできるガンマ補正装置を提供することを目的とする。
【課題を解決するための手段】
【００１２】
上記目的を達成するために、請求項１に記載のガンマ補正装置は、複数色の画像データに対して色毎にガンマ補正を行うために用いられるガンマ補正データであり、前記複数色の何れか１色に１対１で対応するものとして予め定められた複数のガンマ補正データの各色間の共通データを予め記憶する第１記憶手段と、前記共通データと組み合わせることによって前記複数のガンマ補正データを再現できる再現データを予め記憶する第２記憶手段と、前記第１記憶手段に記憶された共通データ及び前記第２記憶手段に記憶された再現データを用いて前記複数色の画像データに対してガンマ補正を行うガンマ補正手段と、を備えている。
【００１３】
請求項１に記載のガンマ補正装置によれば、複数色の画像データに対して色毎にガンマ補正を行うために用いられるガンマ補正データであり、前記複数色の何れか１色に１対１で対応するものとして予め定められた複数のガンマ補正データの各色間の共通データが第１記憶手段によって予め記憶される。
【００１４】
また、本発明では、前記共通データと組み合わせることによって前記複数のガンマ補正データを再現できる再現データが第２記憶手段によって予め記憶される。なお、上記第１記憶手段及び第２記憶手段には、ＲＡＭ、ＥＥＰＲＯＭ（Electrically Erasable and Programmable Read Only Memory）、フラッシュＥＥＰＲＯＭ（Flash EEPROM）等の半導体記憶素子、フレキシブル・ディスク等の可搬記録媒体やハードディスク等の固定記録媒体等が含まれる。
【００１５】
そして、本発明では、ガンマ補正手段により、前記第１記憶手段に記憶された共通データ及び前記第２記憶手段に記憶された再現データが用いられて前記複数色の画像データに対してガンマ補正が行われる。
【００１６】
このように、請求項１に記載のガンマ補正装置によれば、複数色の画像データに対して色毎にガンマ補正を行うために用いられるガンマ補正データであり、前記複数色の何れか１色に１対１で対応するものとして予め定められた複数のガンマ補正データの各色間の共通データを第１記憶手段に予め記憶する一方、前記共通データと組み合わせることによって前記複数のガンマ補正データを再現できる再現データを第２記憶手段に予め記憶し、当該共通データ及び再現データを用いて前記複数色の画像データに対してガンマ補正を行うようにしたので、この結果として、複雑な処理を伴うことなくガンマ補正データの記憶容量を低減することができる。
【００１７】
なお、本発明は、請求項２に記載の発明のように、前記共通データが、前記複数のガンマ補正データにおける前記各色間で同一の値となるデータであり、前記再現データが、前記複数のガンマ補正データから前記共通データを除いた前記複数色の色毎のデータであり、前記ガンマ補正手段が、前記第１記憶手段に記憶された前記共通データを用いて前記複数色の全ての画像データに対してガンマ補正を行うと共に、前記第２記憶手段に記憶された前記色毎の再現データを用いて前記複数色の全ての画像データに対して色毎にガンマ補正を行った後、前記共通データを用いてガンマ補正された画像データと前記再現データを用いてガンマ補正された画像データとを各色毎に結合することにより最終的なガンマ補正後の画像データを得るようにしてもよい。これにより、より簡易にガンマ補正データの記憶容量を低減することができる。
【００１８】
特に、請求項２に記載の発明は、請求項３に記載の発明のように、前記共通データが、前記複数のガンマ補正データにおける、最上位ビットから前記各色間で同一の値となるビット数のデータであり、前記ガンマ補正手段が、前記共通データを用いてガンマ補正された画像データを上位ビット側とし、前記再現データを用いてガンマ補正された画像データを下位ビット側として、各色毎に結合することにより最終的なガンマ補正後の画像データを得るものとしてもよい。これにより、より簡易にガンマ補正データの記憶容量を低減することができる。
【００１９】
また、本発明は、請求項４に記載の発明のように、前記共通データが、前記複数のガンマ補正データにおける前記複数色の何れか１つの特定色に対応するガンマ補正データであり、前記再現データが、前記複数色の前記特定色を除く色に対応するガンマ補正データと前記共通データとの差分となる、前記特定色を除く色毎のデータであり、前記ガンマ補正手段が、前記第１記憶手段に記憶された前記共通データを用いて前記複数色の全ての画像データに対してガンマ補正を行うと共に、前記第２記憶手段に記憶された前記特定色を除く色毎の再現データを用いて当該特定色を除く色毎の画像データに対してガンマ補正を行った後、前記特定色の画像データについては前記共通データを用いてガンマ補正された画像データを最終的なガンマ補正後の画像データとし、前記特定色を除く色毎の画像データについては前記共通データを用いてガンマ補正された画像データと前記再現データを用いてガンマ補正された画像データとを各色毎に加算することにより最終的なガンマ補正後の画像データを得るようにしてもよい。これにより、より簡易にガンマ補正データの記憶容量を低減することができる。
【００２０】
特に、請求項４に記載の発明は、請求項５に記載の発明のように、前記複数のガンマ補正データを用いて前記再現データを演算する演算手段を更に備えてもよい。これにより、より簡易にガンマ補正データの記憶容量を低減することができる。
【００２１】
また、本発明は、請求項６に記載の発明のように、前記複数色が、赤、緑、青の３原色を含むものとしてもよい。これにより、現在主流とされている赤、緑、青の３原色を含む色により画像を表示する表示手段に本発明を適用することができる結果、本発明の汎用性を向上させることができる。
【００２２】
更に、本発明は、請求項７に記載の発明のように、前記画像データが、液晶表示パネルに画像を表示するための画像データであるものとしてもよい。これにより、本発明を液晶表示パネルに画像を表示する用途に適用することができる。
【発明の効果】
【００２３】
本発明によれば、複数色の画像データに対して色毎にガンマ補正を行うために用いられるガンマ補正データであり、前記複数色の何れか１色に１対１で対応するものとして予め定められた複数のガンマ補正データの各色間の共通データを第１記憶手段に予め記憶する一方、前記共通データと組み合わせることによって前記複数のガンマ補正データを再現できる再現データを第２記憶手段に予め記憶し、当該共通データ及び再現データを用いて前記複数色の画像データに対してガンマ補正を行うようにしたので、この結果として、複雑な処理を伴うことなくガンマ補正データの記憶容量を低減することができる、という効果が得られる。
【発明を実施するための最良の形態】
【００２４】
以下、図面を参照して本発明の実施の形態を詳細に説明する。なお、ここでは、本発明を、Ｒ，Ｇ，Ｂの３原色のサブ・ピクセルによって画像を表示する液晶表示パネルの駆動を制御する液晶表示制御装置に適用した場合について説明する。
【００２５】
［第１の実施の形態］
まず、図１を参照して、本実施の形態に係る液晶表示制御装置１０の構成を説明する。
【００２６】
同図に示されるように、本実施の形態に係る液晶表示制御装置１０は、Ｒ，Ｇ，Ｂの各サブ・ピクセルにより画素データが構成された画像データを生成してシリアルデータとして送信するグラフィック・プロセッサ等の不図示の信号処理装置から当該画像データを受信するタイミング・コントローラ２０と、タイミング・コントローラ２０の出力端子に入力端子が接続され、出力端子が不図示の液晶表示パネルに設けられた液晶制御電極に接続されたソース・ドライバ４０と、出力端子がタイミング・コントローラ２０に接続された外部メモリ５０と、を備えている。
【００２７】
本実施の形態に係る外部メモリ５０は、上記信号処理装置によって生成されたＲ，Ｇ，Ｂの３原色による画像データに対して色毎にガンマ補正を行うために用いられるガンマ補正データであり、上記３原色の何れか１色に１対１で対応するものとして予め定められた３種類のガンマ補正データを予め記憶している。なお、本実施の形態に係る液晶表示制御装置１０では、外部メモリ５０としてＲＯＭを適用しているが、これに限らず、フラッシュ・メモリ等の他のメモリを適用することができることは言うまでもない。
【００２８】
一方、本実施の形態に係るタイミング・コントローラ２０は、シリアル／パラレル変換器２１と、データ処理回路２２と、４つのガンマ補正メモリ２３Ａ〜２３Ｄと、データ結合・処理回路２５と、ライン・メモリ２６と、パラレル／シリアル変換器２７と、メモリ・コントロール回路２８と、タイミング・コントロール回路２９と、を備えている。
【００２９】
シリアル／パラレル変換器２１は、上記不図示の信号処理装置の上記画像データを出力する出力端子に入力端子が接続される一方、出力端子がデータ処理回路２２の一方の入力端子に接続されており、上記信号処理装置からシリアルデータとして入力されたＲ，Ｇ，Ｂの画像データをパラレルデータに変換してデータ処理回路２２に出力する。
【００３０】
また、データ処理回路２２は、出力端子が４つのガンマ補正メモリ２３Ａ〜２３Ｄの入力端子に各々個別に接続されており、シリアル／パラレル変換器２１から入力された画像データを対応するガンマ補正メモリに振り分けて出力する。
【００３１】
一方、メモリ・コントロール回路２８は、外部メモリ５０の出力端子に入力端子が接続される一方、出力端子がデータ処理回路２２の他方の入力端子に接続されており、外部メモリ５０に記憶されているガンマ補正データを読み出してデータ処理回路２２に転送する。
【００３２】
これに対し、データ処理回路２２は、メモリ・コントロール回路２８から転送されたガンマ補正データを、対応するガンマ補正メモリに振り分けて出力する。
【００３３】
そして、４つのガンマ補正メモリ２３Ａ〜２３Ｄは、外部メモリ５０から読み出されたガンマ補正データがタイミング・コントロール回路２９に制御されて、書き込まれる。また、４つのガンマ補正メモリ２３Ａ〜２３Ｄは、データ処理回路２２から入力される画像データに対してガンマ補正を行った結果（ガンマ補正データ）を出力するルック・アップ・テーブルとして機能する。
【００３４】
一方、データ結合・処理回路２５は、ガンマ補正メモリ２３Ａ〜２３Ｄの各々の出力端子に入力端子が個別に接続される一方、出力端子がライン・メモリ２６の入力端子に接続されており、ガンマ補正メモリ２３Ａ〜２３Ｄの各々から入力された、ガンマ補正が行われた画像データに対して予め定められた結合処理を実行することにより、最終的にガンマ補正された画像データを生成してライン・メモリ２６に順次記憶する。
【００３５】
ライン・メモリ２６の出力端子はパラレル／シリアル変換器２７の入力端子に接続されており、パラレル／シリアル変換器２７は、ライン・メモリ２６に記憶されたガンマ補正後の画像データを順次読み出して、パラレルデータとされている当該画像データをシリアルデータに変換して、ソース・ドライバ４０に送信する。
【００３６】
なお、タイミング・コントロール回路２９は、シリアル／パラレル変換器２１、データ処理回路２２、ガンマ補正メモリ２３Ａ〜２３Ｄ、データ結合・処理回路２５、ライン・メモリ２６、パラレル／シリアル変換器２７、及びメモリ・コントロール回路２８に接続されており、これら各部の作動はタイミング・コントロール回路２９により統括的に制御される。
【００３７】
一方、本実施の形態に係るソース・ドライバ４０は、シリアル／パラレル変換器４１と、Ｄ／Ａ変換器４２と、出力回路４３と、を備えている。
【００３８】
シリアル／パラレル変換器４１は、タイミング・コントローラ２０のパラレル／シリアル変換器２７の出力端子に入力端子が接続される一方、出力端子がＤ／Ａ変換器４２に接続されており、パラレル／シリアル変換器２７からシリアルデータとして入力された画像データ（ガンマ補正後の画像データ）をパラレルデータに再び変換してＤ／Ａ変換器４２に出力する。
【００３９】
また、Ｄ／Ａ変換器４２は、出力回路４３の入力端子に出力端子が接続されており、シリアル／パラレル変換器４１から入力された画像データをアナログ電圧に変換して出力回路４３に出力する。
【００４０】
そして、出力回路４３は、出力端子が上記不図示の液晶表示パネルに設けられた液晶制御電極に接続されており、Ｄ／Ａ変換器４２から入力されたアナログ電圧を液晶表示パネルに画像が表示できるレベルまで昇圧して当該液晶制御電極に印加する。これにより、液晶表示パネルには、上記画像データに応じた画像が表示される。
【００４１】
ここで、本実施の形態に係るタイミング・コントローラ２０によるガンマ補正の原理について説明する。
【００４２】
Ｒ，Ｇ，Ｂの各画素データの特性には互いに違いがあるものの、一例として次の表１に示されるように、Ｒ，Ｇ，Ｂの各々に対応するガンマ補正データの上位ビットの値は同一であることが多い。なお、表１では、補正前の画像データが８ビット構成のものであり、補正後の画像データが１３ビット構成である場合について示されている。
【００４３】
【表１】
2008242255.tif 000003
一方、図２には、表１に示したガンマ補正データを図１５に示した従来の液晶表示制御装置におけるガンマ補正メモリに書き込んだ場合のデータ構成が示されている。なお、ガンマ補正データを、メモリによるルック・アップ・テーブルとして適用する場合、補正前の画像データは当該メモリのアドレスデータとして用いることになる。
【００４４】
同図から明らかなように、Ｒ，Ｇ，Ｂの各色間で上位ビットのガンマ補正データに違いが見られないことから、同一のガンマ補正データ部分は同一のガンマ補正メモリで補正し、各色間でガンマ補正データが異なる部分については各々に対応したガンマ補正メモリで補正することで、表１に示した各色毎のガンマ補正データを、一例として図２に示したように各々のガンマ補正メモリに全データ分書き込む場合に比較して、メモリの記憶容量を低減することができる。
【００４５】
図３には、表１の１３ビット構成とされたＲ，Ｇ，Ｂの画像データ（ガンマ補正後の画像データ）を共通部分と差異部分に振り分けて書き込んだ場合のガンマ補正メモリのデータ構成が示されている。
【００４６】
同図から明らかなように、この場合、最上位側の３ビットはＲ，Ｇ，Ｂで同一の値となっているので、１３ビット構成のデータを、最上位側の３ビットと当該３ビットを除く１０ビットのデータに分割し、３ビット幅を有する１つのメモリと、１０ビット幅を有する３つのメモリとの、合計４つのメモリで、Ｒ，Ｇ，Ｂの全ての色に対応するルック・アップ・テーブルを構成することができる。
【００４７】
これにより、従来、１３ビット幅を有するメモリが３つ必要であったのに対し、メモリ数は１つ増加するものの、１つのメモリのビット幅が低減することで、メモリ全体としての容量は低減させることができる。
【００４８】
以上の原理に基づき、本実施の形態に係る４つのガンマ補正メモリ２３Ａ〜２３Ｄのうちの何れか１つ（本実施の形態では、ガンマ補正メモリ２３Ａ）は、外部メモリ５０に記憶されているガンマ補正データにおける各色間で同一の値となる上位側のビットのデータ（以下、「共通データ」という。）がデータ処理回路２２により書き込まれて、当該共通データによりガンマ補正を行うルック・アップ・テーブルを構成するものとされている。これに対し、残りの３つのガンマ補正メモリ（本実施の形態では、ガンマ補正メモリ２３Ｂ〜２３Ｄ）は、各色毎のガンマ補正データから上記共通データを除いたデータ（以下、「再現データ」という。）がデータ処理回路２２により対応する色別に書き込まれて、当該再現データによりガンマ補正を行うルック・アップ・テーブルを構成するものとされている。
【００４９】
なお、本実施の形態では、Ｒに対応するルック・アップ・テーブルがガンマ補正メモリ２３Ｂにより構成され、Ｇに対応するルック・アップ・テーブルがガンマ補正メモリ２３Ｃにより構成され、Ｂに対応するルック・アップ・テーブルがガンマ補正メモリ２３Ｄにより構成されるが、これに限るものでないことは言うまでもない。
【００５０】
次に、図４を参照して、本実施の形態に係るタイミング・コントローラ２０の作用を説明する。なお、図４は、タイミング・コントローラ２０のタイミング・コントロール回路２９において実行される処理の流れを示すフローチャートである。
【００５１】
同図のステップ１００では、メモリ・コントロール回路２８及びデータ処理回路２２を制御し、前述したように、外部メモリ５０に記憶されているガンマ補正データを４つのガンマ補正メモリ２３Ａ〜２３Ｄに振り分けて書き込むことにより、共通データによる１つのルック・アップ・テーブルと、再現データによる３つのルック・アップ・テーブルとを、４つのガンマ補正メモリ２３Ａ〜２３Ｄに対して個別に構成させる。これにより、ガンマ補正メモリ２３Ａにより共通データに対応するルック・アップ・テーブルが構成される一方、ガンマ補正メモリ２３ＢによりＲに対応するルック・アップ・テーブルが構成され、ガンマ補正メモリ２３ＣによりＧに対応するルック・アップ・テーブルが構成され、ガンマ補正メモリ２３ＤによりＢに対応するルック・アップ・テーブルが構成される。
【００５２】
次のステップ１０２では、上記不図示の信号処理装置からの画像データの受信待ちを行い、次のステップ１０４では、データ処理回路２２に対し、シリアル／パラレル変換器２１から順次出力される画像データをアドレスとして、対応するガンマ補正メモリに振り分けて入力するように制御する。これに応じて、データ処理回路２２は、シリアル／パラレル変換器２１から順次入力される画像データをＲ，Ｇ，Ｂの各画素データに振り分け、Ｒの画素データをガンマ補正メモリ２３Ａ及びガンマ補正メモリ２３Ｂに入力し、Ｇの画素データをガンマ補正メモリ２３Ａ及びガンマ補正メモリ２３Ｃに入力し、Ｂの画素データをガンマ補正メモリ２３Ａ及びガンマ補正メモリ２３Ｄに入力する。
【００５３】
以上の処理により、ガンマ補正メモリ２３ＡからＲの画素データにおける上位３ビットのデータに対応するガンマ補正後のデータが出力される一方、ガンマ補正メモリ２３ＢからＲの画素データにおける残りのビットのデータに対応するガンマ補正後のデータが出力される。同様に、ガンマ補正メモリ２３ＡからＧの画素データにおける上位３ビットのデータに対応するガンマ補正後のデータが出力される一方、ガンマ補正メモリ２３ＣからＧの画素データにおける残りのビットのデータに対応するガンマ補正後のデータが出力される。更に、ガンマ補正メモリ２３ＡからＢの画素データにおける上位３ビットのデータに対応するガンマ補正後のデータが出力される一方、ガンマ補正メモリ２３ＤからＢの画素データにおける残りのビットのデータに対応するガンマ補正後のデータが出力される。
【００５４】
そこで、次のステップ１０６では、データ結合・処理回路２５に対し、ガンマ補正メモリ２３Ａから出力されたデータを上位ビット側とし、ガンマ補正メモリ２３Ｂ〜２３Ｄから出力されたデータを下位ビット側として、各色毎に結合することにより最終的なガンマ補正後の画像データを得て、ライン・メモリ２６に記憶するように制御する。
【００５５】
ここで、データ結合・処理回路２５によるデータの結合処理の具体例を説明する。
【００５６】
例えば、Ｒの画素データが１６進数の‘ＦＤ’であり、Ｇの画素データが１６進数の‘００’であり、Ｂの画素データが１６進数の‘ＦＤ’である紫のデータの場合、ガンマ補正メモリ２３Ａ〜２３Ｄによって次のデータが得られる。
【００５７】
Ｒ：共通部分…ＦＤアドレスの‘７’      ←  ３ビット表示
独立部分…ＦＤアドレスの‘２６９’  ←  １０ビット表示
Ｇ：共通部分…００アドレスの‘０’      ←  ３ビット表示
独立部分…００アドレスの‘０００’  ←  １０ビット表示
Ｂ：共通部分…ＦＤアドレスの‘７’      ←  ３ビット表示
独立部分…ＦＤアドレスの‘１１７’  ←  １０ビット表示
この結果、データ結合・処理回路２５では、共通部分と独立部分を結合して、最終的に得られるガンマ補正後の画像データは次のようになる。
【００５８】
Ｒ：１Ｅ６９
Ｇ：００００
Ｂ：１Ｄ１７
上記ステップ１０６の処理に応じて、データ結合・処理回路２５からライン・メモリ２６に対して最終的なガンマ補正後の画像データが順次記憶され、この画像データがパラレル／シリアル変換器２７によってシリアルデータに変換されつつ、ソース・ドライバ４０に順次送信される。
【００５９】
そこで、次のステップ１０８では、上記信号処理装置からの画像データの受信終了待ちを行い、次のステップ１１０にて、各部の作動を停止させた後に本処理を終了する。
【００６０】
なお、ソース・ドライバ４０では、タイミング・コントローラ２０からガンマ補正後の画像データが受信されると、シリアル／パラレル変換器４１によって当該画像データがパラレルデータに変換され、Ｄ／Ａ変換器４２によってアナログ電圧に変換されて、出力回路４３によって当該アナログ電圧が不図示の液晶表示パネルに画像が表示できるレベルまで昇圧されて液晶制御電極に印加される。これにより、液晶表示パネルには、上記画像データに応じた画像が表示される。
【００６１】
以上、詳細に説明したように、本実施の形態によれば、複数色（ここでは、Ｒ，Ｇ，Ｂの３色）の画像データに対して色毎にガンマ補正を行うために用いられるガンマ補正データであり、前記複数色の何れか１色に１対１で対応するものとして予め定められた複数のガンマ補正データの各色間の共通データを第１記憶手段（ここでは、ガンマ補正メモリ２３Ａ）に予め記憶する一方、前記共通データと組み合わせることによって前記複数のガンマ補正データを再現できる再現データを第２記憶手段（ここでは、ガンマ補正メモリ２３Ｂ〜２３Ｄ）に予め記憶し、当該共通データ及び再現データを用いて前記複数色の画像データに対してガンマ補正を行うようにしたので、この結果として、複雑な処理を伴うことなくガンマ補正データの記憶容量を低減することができる。
【００６２】
特に、本実施の形態によれば、前記共通データが、前記複数のガンマ補正データにおける前記各色間で同一の値となるデータであり、前記再現データが、前記複数のガンマ補正データから前記共通データを除いた前記複数色の色毎のデータであり、前記第１記憶手段に記憶された前記共通データを用いて前記複数色の全ての画像データに対してガンマ補正を行うと共に、前記第２記憶手段に記憶された前記色毎の再現データを用いて前記複数色の全ての画像データに対して色毎にガンマ補正を行った後、前記共通データを用いてガンマ補正された画像データと、前記再現データを用いてガンマ補正された画像データとを各色毎に結合することにより最終的なガンマ補正後の画像データを得るようにしているので、より簡易にガンマ補正データの記憶容量を低減することができる。
【００６３】
また、本実施の形態によれば、前記共通データが、前記複数のガンマ補正データにおける、最上位ビットから前記各色間で同一の値となるビット数のデータであり、前記共通データを用いてガンマ補正された画像データを上位ビット側とし、前記再現データを用いてガンマ補正された画像データを下位ビット側として、各色毎に結合することにより最終的なガンマ補正後の画像データを得るようにしているので、より簡易にガンマ補正データの記憶容量を低減することができる。
【００６４】
［第２の実施の形態］
まず、図５を参照して、本第２の実施の形態に係る液晶表示制御装置１０’の構成を説明する。なお、同図における図１と同一の構成要素には図１と同一の符号を付して、その説明を省略する。
【００６５】
図５に示されるように、本第２の実施の形態に係る液晶表示制御装置１０’は、上記第１の実施の形態に係る液晶表示制御装置１０に比較して、データ処理回路２２に代えてデータ処理回路２２’が適用されている点、４つのガンマ補正メモリ２３Ａ〜２３Ｄに代えて３つのガンマ補正メモリ２３Ｅ〜２３Ｇが適用されている点、及びデータ結合・処理回路２５に代えて、データ復元回路３０及び第２データ処理回路３１が適用されている点のみが異なっている。
【００６６】
なお、３つのガンマ補正メモリ２３Ｅ〜２３Ｇの各々の出力端子はデータ復元回路３０の入力端子に個別に接続される一方、ガンマ補正メモリ２３Ｅの出力端子と、データ復元回路３０の出力端子とは第２データ処理回路３１の入力端子に各々個別に接続されている。また、データ処理回路２２’、ガンマ補正メモリ２３Ｅ〜２３Ｇ、データ復元回路３０及び第２データ処理回路３１には、タイミング・コントロール回路２９が接続されており、これら各部の作動はタイミング・コントロール回路２９により統括的に制御される。
【００６７】
本実施の形態に係るデータ処理回路２２’は、シリアル／パラレル変換器２１から入力された画像データを対応するガンマ補正メモリに振り分けて出力する点は上記第１の実施の形態に係るデータ処理回路２２と同様であるが、その画像データの振り分け方が異なる。また、データ処理回路２２’は、メモリ・コントロール回路２８から転送されたガンマ補正データを、対応するガンマ補正メモリに振り分けて出力する点は上記第１の実施の形態に係るデータ処理回路２２と同様であるが、そのガンマ補正データの振り分け方が異なる。
【００６８】
また、本実施の形態に係るデータ復元回路３０は、ガンマ補正メモリ２３Ｅ〜２３Ｇの各々から入力された、ガンマ補正が行われた画像データに対して予め定められた復元処理を実行することにより、最終的にガンマ補正された画像データを生成して第２データ処理回路３１に出力する。
【００６９】
そして、本実施の形態に係る第２データ処理回路３１は、ガンマ補正メモリ２３Ｅ及びデータ復元回路３０から入力されたガンマ補正された画像データをライン・メモリ２６に順次記憶する。
【００７０】
ここで、本第２の実施の形態に係るタイミング・コントローラ２０’によるガンマ補正の原理について説明する。
【００７１】
上記第１の実施の形態に係るガンマ補正では、ガンマ補正メモリの記憶容量を低減することはできるものの、メモリの数が増えてしまうため、当該メモリの占有面積を低減することはできない。
【００７２】
この問題を解消するために、本第２の実施の形態に係るガンマ補正では、Ｒ，Ｇ，Ｂのうちの１色（以下、「特定色」という。）のガンマ補正データを基準ガンマ補正データとしてガンマ補正メモリ２３Ｅに書き込む一方、Ｒ，Ｇ，Ｂのうちの前記特定色を除く色に対応するガンマ補正データと基準ガンマ補正データとの差分となる、前記特定色を除く色毎のデータを差分データとしてガンマ補正メモリ２３Ｆ及び２３Ｇに前記特定色を除く色毎に書き込む。
【００７３】
このため、本第２の実施の形態に係る液晶表示制御装置１０’では、外部メモリ５０に対して、上記基準ガンマ補正データ及び差分データが、一例として次の表２に示されるように、予め纏めて記憶されている。
【００７４】
【表２】
2008242255.tif 000004
図６には、表２に示されるガンマ補正データに対応する基準ガンマ補正データ及び差分データを書き込んだ場合のガンマ補正メモリのデータ構成が示されている。なお、同図では、Ｂに対応するガンマ補正データを基準ガンマ補正データとし、Ｒ及びＧに対応するガンマ補正データを差分データとした場合の一例が示されている。
【００７５】
同図から明らかなように、この場合、上記特定色を除く色のガンマ補正データについては、基準ガンマ補正データとの差分値が表せるビット幅のメモリでルック・アップ・テーブルを構成することができるので、一例として図２に示される従来のものに比較して、ガンマ補正メモリの個数を増加させることなく、ガンマ補正テーブルを記憶するための記憶容量を低減することができる。
【００７６】
次に、図７を参照して、本第２の実施の形態に係るタイミング・コントローラ２０’の作用を説明する。なお、図７は、タイミング・コントローラ２０’のタイミング・コントロール回路２９において実行される処理の流れを示すフローチャートである。
【００７７】
同図のステップ２００では、メモリ・コントロール回路２８及びデータ処理回路２２’を制御し、前述したように、外部メモリ５０に記憶されているガンマ補正データを３つのガンマ補正メモリ２３Ｅ〜２３Ｇに振り分けて書き込むことにより、基準ガンマ補正データによる１つのルック・アップ・テーブルと、差分データによる２つのルック・アップ・テーブルとを、３つのガンマ補正メモリ２３Ｅ〜２３Ｇに対して個別に構成させる。
【００７８】
次のステップ２０２では、上記不図示の信号処理装置からの画像データの受信待ちを行い、次のステップ２０４では、データ処理回路２２’に対し、シリアル／パラレル変換器２１から順次出力される画像データをアドレスとして、対応するガンマ補正メモリに振り分けて入力するように制御する。これに応じて、データ処理回路２２’は、シリアル／パラレル変換器２１から順次入力される画像データをＲ，Ｇ，Ｂの各画素データに振り分け、Ｂの画素データをガンマ補正メモリ２３Ｅに入力し、Ｒの画素データをガンマ補正メモリ２３Ｅ及びガンマ補正メモリ２３Ｆに入力し、Ｇの画素データをガンマ補正メモリ２３Ｅ及びガンマ補正メモリ２３Ｇに入力する。
【００７９】
以上の処理により、ガンマ補正メモリ２３ＥからＢ，Ｒ，Ｇの画素データに対応するガンマ補正後のデータ（但し、Ｒ及びＧの画素データについては、上記差分データが除かれた状態のデータ）が出力される一方、ガンマ補正メモリ２３ＦからＲの画素データに対応する差分データが出力され、ガンマ補正メモリ２３ＧからＧの画素データに対応する差分データが出力される。
【００８０】
そこで、次のステップ２０６では、データ復元回路３０に対し、ガンマ補正メモリ２３Ｅから出力されたＲに対応するデータとガンマ補正メモリ２３Ｆから出力されたデータとを加算することによりＲの最終的なガンマ補正後の画像データを得ると共に、ガンマ補正メモリ２３Ｅから出力されたＧに対応するデータとガンマ補正メモリ２３Ｇから出力されたデータとを加算することによりＧの最終的なガンマ補正後の画像データを得て、第２データ処理回路３１に出力するように制御する。
【００８１】
以上の処理により、データ復元回路３０から第２データ処理回路３１に対してＲ及びＧの最終的なガンマ補正後の画像データが順次入力される一方、ガンマ補正メモリ２３ＥからＢの最終的なガンマ補正後の画像データが順次入力され、第２データ処理回路３１により、これらの画像データがライン・メモリ２６に順次記憶された後、パラレル／シリアル変換器２７によってシリアルデータに変換されつつ、ソース・ドライバ４０に順次送信される。
【００８２】
そこで、次のステップ２０８では、上記信号処理装置からの画像データの受信終了待ちを行い、次のステップ２１０にて、各部の作動を停止させた後に本処理を終了する。
【００８３】
なお、ソース・ドライバ４０では、タイミング・コントローラ２０’からガンマ補正後の画像データが受信されると、シリアル／パラレル変換器４１によって当該画像データがパラレルデータに変換され、Ｄ／Ａ変換器４２によってアナログ電圧に変換されて、出力回路４３によって当該アナログ電圧が不図示の液晶表示パネルに画像が表示できるレベルまで昇圧されて液晶制御電極に印加される。これにより、液晶表示パネルには、上記画像データに応じた画像が表示される。
【００８４】
以上、詳細に説明したように、本実施の形態によれば、複数色（ここでは、Ｒ，Ｇ，Ｂの３色）の画像データに対して色毎にガンマ補正を行うために用いられるガンマ補正データであり、前記複数色の何れか１色に１対１で対応するものとして予め定められた複数のガンマ補正データの各色間の共通データを第１記憶手段（ここでは、ガンマ補正メモリ２３Ｅ）に予め記憶する一方、前記共通データと組み合わせることによって前記複数のガンマ補正データを再現できる再現データを第２記憶手段（ここでは、ガンマ補正メモリ２３Ｆ，２３Ｇ）に予め記憶し、当該共通データ及び再現データを用いて前記複数色の画像データに対してガンマ補正を行うようにしたので、この結果として、複雑な処理を伴うことなくガンマ補正データの記憶容量を低減することができる。
【００８５】
特に、本実施の形態によれば、前記共通データが、前記複数のガンマ補正データにおける前記複数色の何れか１つの特定色に対応するガンマ補正データであり、前記再現データが、前記複数色の前記特定色を除く色に対応するガンマ補正データと前記共通データとの差分となる、前記特定色を除く色毎のデータであり、前記第１記憶手段に記憶された前記共通データを用いて前記複数色の全ての画像データに対してガンマ補正を行うと共に、前記第２記憶手段に記憶された前記特定色を除く色毎の再現データを用いて当該特定色を除く色毎の画像データに対してガンマ補正を行った後、前記特定色の画像データについては前記共通データを用いてガンマ補正された画像データを最終的なガンマ補正後の画像データとし、前記特定色を除く色毎の画像データについては前記共通データを用いてガンマ補正された画像データと前記再現データを用いてガンマ補正された画像データとを各色毎に加算することにより最終的なガンマ補正後の画像データを得るようにしているので、より簡易にガンマ補正データの記憶容量を低減することができる。
【００８６】
［第３の実施の形態］
本第３の実施の形態では、上記第２の実施の形態の変形例について説明する。
【００８７】
まず、図８を参照して、本第３の実施の形態に係る液晶表示制御装置１０’’の構成を説明する。なお、同図における図５と同一の構成要素には図５と同一の符号を付して、その説明を省略する。
【００８８】
図８に示されるように、本第３の実施の形態に係る液晶表示制御装置１０’’は、上記第２の実施の形態に係る液晶表示制御装置１０’に比較して、メモリ・コントロール回路２８とデータ処理回路２２’との間に介在された差分生成回路３２が新たに設けられている点のみが異なっている。
【００８９】
なお、本第３の実施の形態に係る液晶表示制御装置１０’’では、外部メモリ５０に予め記憶されているガンマ補正データが、上記第２の実施の形態のような差分データが含まれるものではなく、一例として表１に示されるような、Ｒ，Ｇ，Ｂの各色に各々対応するガンマ補正データそのものとされている。
【００９０】
そして、本実施の形態に係る差分生成回路３２は、外部メモリ５０に記憶されている各色毎のガンマ補正データを用いて、上記第２の実施の形態と同様の上記特定色を除く色に対応する差分データを演算してデータ処理回路２２’に出力する一方、上記特定色に対応するガンマ補正データは基準ガンマ補正データとして、そのままデータ処理回路２２’に出力する。
【００９１】
次に、図９を参照して、本実施の形態に係るタイミング・コントローラ２０’’の作用を説明する。なお、図９は、タイミング・コントローラ２０’’のタイミング・コントロール回路２９において実行される処理の流れを示すフローチャートであり、図７と同一の処理を行うステップについては図７と同一のステップ番号を付して、その説明を省略する。
【００９２】
同図のステップ２００’では、メモリ・コントロール回路２８に対して、外部メモリ５０に記憶されているガンマ補正データを差分生成回路３２に転送させ、差分生成回路３２に対して、メモリ・コントロール回路２８を介して転送されてきたガンマ補正データを用いて上記差分データを演算させ、当該差分データ及び基準ガンマ補正データをデータ処理回路２２’に出力させた後、データ処理回路２２’に対して、差分生成回路３２から入力された基準ガンマ補正データをガンマ補正メモリ２３Ｅに書き込ませると共に、差分データをガンマ補正メモリ２３Ｆ及び２３Ｇに色別に書き込ませることにより、基準ガンマ補正データによる１つのルック・アップ・テーブルと、差分データによる２つのルック・アップ・テーブルとを、３つのガンマ補正メモリ２３Ｅ〜２３Ｇに対して個別に構成させる。
【００９３】
以上、詳細に説明したように、本実施の形態によれば、上記第２の実施の形態と同様の効果を奏することができると共に、前記ガンマ補正データを用いて前記差分データを演算しているので、より簡易にガンマ補正データの記憶容量を低減することができる。
【００９４】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００９５】
また、上記の実施の形態は、クレーム（請求項）にかかる発明を限定するものではなく、また実施の形態の中で説明されている特徴の組合せの全てが発明の解決手段に必須であるとは限らない。前述した実施の形態には種々の段階の発明が含まれており、開示される複数の構成要件における適宜の組み合せにより種々の発明を抽出できる。実施の形態に示される全構成要件から幾つかの構成要件が削除されても、効果が得られる限りにおいて、この幾つかの構成要件が削除された構成が発明として抽出され得る。
【００９６】
例えば、上記各実施の形態では、本発明の複数色の画像データとして、Ｒ，Ｇ，Ｂの３原色の画像データを適用した場合について説明したが、本発明はこれに限定されるものではなく、例えば、上記３原色に加えて、シアン、マゼンタ、イエロー、ブラックの４色の少なくとも１色を有する画像データや、これら７色のうちの２色以上の組み合わせを有する画像データ等を適用する形態とすることもできる。この場合も、上記各実施の形態と同様の効果を奏することができる。
【００９７】
また、上記各実施の形態では、本発明を、液晶表示パネルにより表示する画像を示す画像データに対してガンマ補正を行う形態に適用した場合について説明したが、本発明はこれに限定されるものではなく、本発明は、ＣＲＴディスプレイ、プラズマ・ディスプレイ、有機ＥＬディスプレイ等の他のディスプレイより表示する画像を示す画像データに対してガンマ補正を行う形態や、各種画像形成装置により形成する画像を示す画像データに対してガンマ補正を行う形態等に適用することもできる。この場合も、上記各実施の形態と同様の効果を奏することができる。
【００９８】
その他、上記各実施の形態で説明した液晶表示制御装置の構成（図１，図５，図８参照。）は一例であり、本発明の主旨を逸脱しない範囲内において不要な部分を削除したり、新たな部分を追加したりすることができることは言うまでもない。
【００９９】
また、上記第１の実施の形態で示した表１も一例であり、他のガンマ補正データとしてもよいことも言うまでもない。
【０１００】
更に、上記各実施の形態で説明したタイミング・コントローラにより実行される処理の流れ（図４，図７，図９参照。）も一例であり、本発明の主旨を逸脱しない範囲内において不要なステップを削除したり、新たなステップを追加したり、処理順序を入れ替えたりすることができることは言うまでもない。
【図面の簡単な説明】
【０１０１】
【図１】第１の実施の形態に係る液晶表示制御装置の全体構成を示すブロック図である。
【図２】第１の実施の形態に係る表１に示したガンマ補正データを図１５に示した従来の液晶表示制御装置におけるガンマ補正メモリに書き込んだ場合のデータ構成を示す模式図である。
【図３】第１の実施の形態に係る表１の１３ビット構成とされたＲ，Ｇ，Ｂの画像データ（ガンマ補正後の画像データ）を共通部分と差異部分に振り分けて書き込んだ場合のガンマ補正メモリのデータ構成を示す模式図である。
【図４】第１の実施の形態に係るタイミング・コントローラで実行される処理の流れを示すフローチャートである。
【図５】第２の実施の形態に係る液晶表示制御装置の全体構成を示すブロック図である。
【図６】第２の実施の形態に係る表１に示されるガンマ補正データに対応する基準ガンマ補正データ及び差分データを書き込んだ場合のガンマ補正メモリのデータ構成を示す模式図である。
【図７】第２の実施の形態に係るタイミング・コントローラで実行される処理の流れを示すフローチャートである。
【図８】第３の実施の形態に係る液晶表示制御装置の全体構成を示すブロック図である。
【図９】第３の実施の形態に係るタイミング・コントローラで実行される処理の流れを示すフローチャートである。
【図１０】従来の液晶装置の構成例を示す概略側面図である。
【図１１】液晶装置のＶＴ特性の一例を示すグラフである。
【図１２】ガンマ補正の説明に供するグラフである。
【図１３】従来の液晶表示制御装置の構成例を示すブロック図である。
【図１４】従来の液晶表示制御装置の他の構成例を示すブロック図である。
【図１５】従来の液晶表示制御装置の他の構成例を示すブロック図である。
【符号の説明】
【０１０２】
１０，１０’，１０’’    液晶表示制御装置
２０，２０’，２０’’    タイミング・コントローラ
２１    シリアル／パラレル変換器
２２，２２’    データ処理回路（ガンマ補正手段）
２３Ａ，２３Ｅ    ガンマ補正メモリ（第１記憶手段）
２３Ｂ〜２３Ｄ，２３Ｆ，２３Ｇ    ガンマ補正メモリ（第２記憶手段）
２５    データ結合・処理回路（ガンマ補正手段）
２６    ライン・メモリ
２７    パラレル／シリアル変換器
２８    メモリ・コントロール回路
２９    タイミング・コントロール回路
３０    データ復元回路（ガンマ補正手段）
３２    差分生成回路（演算手段）
４０    ソース・ドライバ
５０    外部メモリ
【図１】
2008242255.tif 000005
【図２】
2008242255.tif 000006
【図３】
2008242255.tif 000007
【図４】
2008242255.tif 000008
【図５】
2008242255.tif 000009
【図６】
2008242255.tif 000010
【図７】
2008242255.tif 000011
【図８】
2008242255.tif 000012
【図９】
2008242255.tif 000013
【図１０】
2008242255.tif 000014
【図１１】
2008242255.tif 000015
【図１２】
2008242255.tif 000016
【図１３】
2008242255.tif 000017
【図１４】
2008242255.tif 000018
【図１５】
2008242255.tif 000019